(57)【要約】【課題】特別な探索器具を用いることなく解錠符号の探索が容易に行えるようにする。【解決手段】ダイヤル毎の解錠符号を探索するための解錠符号探索機構１００を備える。解錠符号探索機構１００はアクチュエータの外筒の回動角度範囲を超えて内筒を回動させたときこれに応動して作動軸を設定量を超えて変位させる機構と、作動軸上の各ダイヤルの位置にそれぞれ配置される解錠符号の探索部材１０１とを含む。探索部材１０１と対向するロックギヤ５の側面に係合段部５７が形成される。探索部材１０１は突部１０５を備え、突部１０５は作動軸が設定量を超えて変位したとき、解錠符号が揃えられていない回動角度のダイヤルに対応するロックギヤ５に対してはロックギヤ５の回動を許容する状態でロックギヤ５の側面に当接し、解錠符号が揃えられている回動角度のダイヤルに対応するロックギヤ５に対しては係合段部５７に係合してロックギヤ５の回動を規制する。【選択図】図２５
2008190215.tif 000002
【特許請求の範囲】
【請求項１】
周面に複数の符号が表された複数個のダイヤルと、各ダイヤルを決められた位置で回動可能に支持する軸方向へ往復動可能な作動軸と、解錠操作および施錠操作に一体に応動する内筒および外筒を有し前記内筒にはマスター鍵が未挿入の状態で外筒と係合しマスター鍵が挿入された状態で外筒との係合が外れて外筒内で内筒を回動可能となす錠機構が組み込まれたアクチュエータと、前記外筒と前記作動軸との間に設けられ外筒の回動に応動して作動軸を設定量だけ往復動させる往復動機構と、前記作動軸上の各ダイヤルの位置にそれぞれ設けられ前記作動軸の設定量の移動に伴って移動することにより各ダイヤルと係合して解錠符号を記憶するダイヤル毎のロックギヤと、全てのダイヤルの解錠符号が揃えられたときアクチュエータの作動を許容し全てのダイヤルの解錠符号が揃えられなかったときアクチュエータの作動を規制するロック機構と、各ダイヤルの解錠符号を探索するための解錠符号探索機構とを備え、前記内筒には内筒の正逆回動に応動して係脱動作する掛止機構が設けられ、前記外筒は掛止機構の係脱動作に必要な角度範囲を回動するように支持されて成る符号錠装置において、
前記解錠符号探索機構は、前記アクチュエータの内筒と前記作動軸との間に設けられ前記外筒の回動角度範囲を超える内筒の回動に応動して作動軸を前記設定量を超えて変位させる変位機構と、前記作動軸上の各ダイヤルの位置にそれぞれ配置される解錠符号の探索部材とを含み、各ロックギヤの前記探索部材と対向する側面にはそれぞれ係合段部が形成されるとともに、各探索部材は、作動軸が設定量を超えて変位したとき、解錠符号が揃えられていない回動角度のダイヤルに対応するロックギヤに対してはロックギヤの回動を許容する状態でロックギヤの側面に当接し、解錠符号が揃えられている回動角度のダイヤルに対応するロックギヤに対しては前記係合段部に係合してロックギヤの回動を規制する突部を備えて成る符号錠装置。
【請求項２】
前記変位機構は、内筒の外周面に突設された突起体を含み、外筒の周方向に沿って形成された貫通溝より前記突起体の先端を外筒の外周へ突出させている請求項１に記載された符号錠装置。
【請求項３】
前記探索部材は、作動軸上に板面をロックギヤの側面に対向させて固定される円板状の部材であり、円板の外周を所定の角度にわたって円弧状に切り起こして弾性変形が可能な前記突部が形成されている請求項１に記載された符号錠装置。
【発明の詳細な説明】
【技術分野】
【０００１】
この発明は、各種ロッカー、キャビネット、貸金庫などの扉の部分に組み込まれる符号錠装置に関し、特にこの発明は、ロッカーなどの使用者が各ダイヤルの解錠符号を忘れるなどのトラブルが発生したときに解錠符号を探索することが可能な機能を具備した符号錠装置に関する。
【背景技術】
【０００２】
ゴルフ場などの各種施設では、客が各客に貸与されるロッカーの鍵を紛失するというトラブルが頻発しており、これに対処するため、ロッカーに組み込まれる錠として、鍵を必要としない符号錠装置が導入されるようになった。
従来、符号錠装置には、各ダイヤルの解錠符号が固定的に設定されているタイプのものと、客が各ダイヤルの解錠符号を自在に設定するようにしたタイプのものとがある。ここで、「解錠符号」とは、符号錠装置を解錠するためのダイヤル毎の符号をいい、全てのダイヤルの解錠符号の並びを「解錠符号列」という。例えば、４個のダイヤルを備える符号錠装置であって各ダイヤルの符号が「０」〜「９」の数字で構成されている場合、解錠符号列は４桁で構成される数字になる。
【０００３】
施錠に際し、各ダイヤルについてダイヤルを回して解錠符号を揃えることにより解錠符号列を整列させた後、撮みを掴んで回動操作する。この回動操作に掛止機構が応動し、扉側の掛止片がロッカー本体側の受け金具に係合する。その後、各ダイヤルを回して解錠符号列を適当に崩すと、符号錠装置は施錠状態になる。
解錠に際しては、各ダイヤルについてダイヤルを回して解錠符号を揃えることにより解錠符号列を整列させた後、撮みを掴んで前記と反対方向へ回動操作する。この回動操作に掛止機構が応動し、扉側の掛止片がロッカー本体側の受け金具より外れて扉の開放が可能となる。その後、施錠操作を行った上で解錠符号列を崩して施錠状態に戻しておく。
【０００４】
各ダイヤルの解錠符号を自在に設定することが可能なタイプの符号錠装置では、施錠操作に先立ち、客はダイヤル毎に好みの解錠符号を自ら設定する。その後、施錠を行うが、客が解錠符号列を忘れてしまうことがあり、その結果、符号錠装置の解錠が困難となる。このようなトラブルが発生したとき、施設側ではロッカーをこじ開けたり、符号錠装置を分解し内部機構の動作状態からダイヤル毎に解錠符号を探索して解錠したりする必要があり、施設側の経済的負担や労力は大きなものとなる。なお、解錠符号列を忘れるという事態は解錠符号列が固定的に設定されているタイプの符号錠装置についても同様に起こり得るものであり、トラブル発生時には、施設側で解錠符号列を調べて解錠作業を行う必要がある。
【０００５】
上記の不都合を解消するために、先般、解錠符号をダイヤル毎に外部から探索可能となすことにより、客が解錠符号列を忘れたことに起因するトラブルの発生に迅速に対応できる解錠符号の探索方法が提案された。この探索方法は、各ダイヤル機構における回転部位の決められた角度位置に近接スイッチが感応する感応体を設けておき、近接スイッチのセンサ部をダイヤル機構に近づけた状態でダイヤル機構を操作することにより、感応体がセンサ部に接近する角度位置がきたとき、近接スイッチを感応させて解錠符号を探索するものである（例えば、特許文献１参照）。
【０００６】
【特許文献１】特許第２７２９７７８号公報
【発明の開示】
【発明が解決しようとする課題】
【０００７】
しかしながら、上記の探索方法では、近接スイッチのセンサ部が組込まれた探索器具を用いる必要があり、解錠符号の探索作業が大掛かりとなって繁雑である。また、探索器具を施設に常設しておく必要があるため、その保管場所を確保しなければならず、探索器具の保守や点検が必要となる。
【０００８】
この発明は、上記問題に着目してなされたもので、特別な探索器具を用いることなく解錠符号の探索が容易に行える符号錠装置を提供することを目的とする。
【課題を解決するための手段】
【０００９】
この発明による符号錠装置は、周面に複数の符号が表された複数個のダイヤルと、各ダイヤルを決められた位置で回動可能に支持する軸方向へ往復動可能な作動軸と、解錠操作および施錠操作に一体に応動する内筒および外筒を有し前記内筒にはマスター鍵が未挿入の状態で外筒と係合しマスター鍵が挿入された状態で外筒との係合が外れて外筒内で内筒を回動可能となす錠機構が組み込まれたアクチュエータと、前記外筒と前記作動軸との間に設けられ外筒の回動に応動して作動軸を設定量だけ往復動させる往復動機構と、前記作動軸上の各ダイヤルの位置にそれぞれ設けられ前記作動軸の設定量の移動に伴って移動することにより各ダイヤルと係合して解錠符号を記憶するダイヤル毎のロックギヤと、全てのダイヤルの解錠符号が揃えられたときアクチュエータの作動を許容し全てのダイヤルの解錠符号が揃えられなかったときアクチュエータの作動を規制するロック機構と、各ダイヤルの解錠符号を探索するための解錠符号探索機構とを備えたもので、前記内筒には内筒の正逆回動に応動して係脱動作する掛止機構が設けられ、前記外筒は掛止機構の係脱動作に必要な角度範囲を回動するように支持されて成る。
前記解錠符号探索機構は、前記アクチュエータの内筒と前記作動軸との間に設けられ前記外筒の回動角度範囲を超える内筒の回動に応動して作動軸を前記設定量を超えて変位させる変位機構と、前記作動軸上の各ダイヤルの位置にそれぞれ配置される解錠符号の探索部材とを含んでいる。各ロックギヤの前記探索部材と対向する側面にはそれぞれ係合段部が形成されるとともに、各探索部材は、作動軸が設定量を超えて変位したとき、解錠符号が揃えられていない回動角度のダイヤルに対応するロックギヤに対してはロックギヤの回動を許容する状態でロックギヤの側面に当接し、解錠符号が揃えられている回動角度のダイヤルに対応するロックギヤに対しては前記係合段部に係合してロックギヤの回動を規制する突部を備えている。
【００１０】
上記した構成の符号錠装置において、符号錠装置の使用者が解錠符号列を忘れてしまったとき、その解錠符号列を探索するのに、アクチュエータの錠機構をマスター鍵により解錠して内筒と外筒との係合を外すと、外筒内で内筒が回動することが可能な状態となる。つぎに、マスター鍵を回して内筒を外筒の回動角度範囲を超えて回動させると、作動軸は設定量を超えて変位し、各ダイヤルについて探索部材の突部がロックギヤの側面に当接する。この場合に、解錠符号が揃えられていない回動角度のダイヤルについては、対応するロックギヤの側面に探索部材の突部がロックギヤの回動を許容する状態で当接する。また、解錠符号が揃えられている回動角度のダイヤルについては、対応するロックギヤの係合段部に探索部材の突部が係合してロックギヤの回動を規制する。解錠符号が揃えられていない回動角度のダイヤルについては、ダイヤルを回して対応するロックギヤの係合段部に突部が係合するまでロックギヤを一体に回動させる。ロックギヤの係合段部が突部の角度位置までくると、突部が係合段部と係合しロックギヤの回動を規制する。このとき、ダイヤルの解錠符号が揃った状態になっているので、そのダイヤルの回動角度、すなわち、使用者がダイヤル操作によって解錠符号を揃えるための整列位置に止まったダイヤルの符号を確認することで解錠符号が判明する。
【００１１】
この発明の好ましい実施態様において、前記変位機構は、内筒の外周面に突設された突起体を含み、外筒の周方向に沿って形成された貫通溝より前記突起体の先端を外筒の外周へ突出させている。
この実施態様では、内筒を外筒の回動角度範囲を超えて回動すると、内筒の外周面に突設された突起体は外筒に形成された貫通溝より突出しているので、突起体が作動軸の位置までくると、突起体の先端が作動軸の端部を押圧することにより作動軸が変位する。
【００１２】
この発明の上記した構成において、探索部材や探索部材に設けられる突部として種々の態様のものが考えられるが、好ましい一実施態様の探索部材は、作動軸上に板面をロックギヤの側面に対向させて固定される円板状の部材であり、円板の外周を所定の角度にわたって円弧状に切り起こして弾性変形が可能な前記突部を形成する。
この実施態様の探索部材は、突部が弾性変形する構成のものであるので、解錠符号が揃えられていない回動角度のダイヤルについては、突部が弾性変形することで、対応するロックギヤの側面にロックギヤの回動を許容する状態で当接する。ダイヤルを回して対応するロックギヤの係合段部が突部の角度位置まできたとき、突部がその弾性復元力によって係合段部と係合するもので、これによりロックギヤの回動が規制される。
【発明の効果】
【００１３】
この発明によれば、ロッカーなどの使用者が符号錠装置の解錠符号列を忘れても、特別な探索器具を用いることなく各ダイヤルの解錠符号を容易に探索することができる。また、探索器具を用いないから、探索器具の保管場所を確保したり、探索器具の保守や点検を行ったりする必要がない。
【発明を実施するための最良の形態】
【００１４】
図１および図２は、この発明の一実施例である符号錠装置の外観を示している。
この符号錠装置は、例えばロッカーの扉に取り付けられ、施錠時や解錠時の操作によって掛止片１が所定の角度範囲α（この実施例ではαは９０度）で正逆回動し、ロッカー本体に取り付けられた受け金具１０に係脱する。前記掛止片１と受け金具１０とで掛止機構が構成される。
【００１５】
なお、以下の説明において、掛止片１が受け金具１０に係合した状態を「閉状態」、この閉状態がロック保持されている状態を「施錠状態」、ロック解除された状態を「解錠状態」、掛止片１が受け金具２より外れた状態を「開状態」という。また「開状態」から「施錠状態」へ至る人手による操作を「施錠操作」、「閉状態」から「解錠状態」を経て「開状態」へ至る人手による操作を「解錠操作」という。
【００１６】
図１において、１１は箱状ケース１２の上面開口を塞ぐ前面プレートであって、板面の一端部寄りに円形の開口部１３が、また中央部から他端部にかけて４個の窓孔１４が、それぞれ設けてある。箱状ケース１２の内部には、前記開口部１３の位置に対応させてアクチュエータ２の機構が、また、前記４個の窓孔１４の位置に対応させて符号錠の機構が、それぞれ組み込まれている。アクチュエータ２は撮み２０を有し、撮み２０が開口部１３より前面プレート１１上へ突出している。４個の各ダイヤル４が各窓孔１４より前面プレート１１上へ突出し、各ダイヤル４の周面に表された符号４３が窓孔１４に現れる。図中、Ｌは解錠符号列を揃えるための整列ラインである。
【００１７】
図示例の符号錠装置は、解錠符号列をその都度、自在に設定する方式、すなわち、解錠操作により「開状態」になる度に解錠符号列の記憶が解除される第１の記憶方式と、解錠符号列を固定的に設定しておく方式、すなわち、解錠操作により「開状態」になったときに解錠符号列の記憶が保持される第２の記憶方式とが切換可能になっており、ロッカーの提供者において、第１、第２の記憶方式を切り換えることを可能となすために、図２に示すように、箱状ケース１２の底面に形成した孔１８に切換操作用の操作軸８０の端面を臨ませている。操作軸８０の端面には溝８１が設けてあり、この溝８１にドライバーのような工具を係入して正逆回動することで上記した記憶方式が切り換えられる。この操作軸８０は記憶方式の切換機構８０を構成するものである。
【００１８】
図３〜図１４は、符号錠装置の内部構造を施錠および解錠の各操作時の状態とともに示している。図３〜図１０は、解錠符号列をその都度、自在に設定する方式、すなわち、解錠操作により「開状態」になったときに解錠符号列の記憶が解除される第１の記憶方式に設定された場合において、「開状態」から「施錠状態」へ至る各段階での構成各部の状態をそれぞれ示している。また、図１１〜図１４は、ロッカー使用者が各ダイヤル４の解錠符号を忘れてしまった場合に、解錠符号を探索するときの各段階での構成各部の状態を示している。
なお、図３〜図１４において、図３，５，７，９，１１，１３は符号錠装置の構成を示す前面プレート３の側より見た断面図であり、図４，６，８，１０，１２，１４はそれぞれ図３，６，７，９，１１，１３のａ方向より見た断面図である。
【００１９】
図示例の符号錠装置は、解錠符号の記憶、解錠および施錠などの各動作を可能となすために、アクチュエータ２，作動軸３，往復動機構７，４個のダイヤル４，解錠符号記憶機構６，ロック機構９などの主要構成を含むとともに、各ダイヤル４の解錠符号を探索するための解錠符号探索機構１００を含んでいる。また、付加的な構成として、ダイヤル間欠送り機構１９、記憶方式の切換機構８なども具備している。
【００２０】
（１）アクチュエータ２の構成
アクチュエータ２は、支持板１５により区画された一方の空間Ａに組み込まれており、前記撮み２０による解錠操作および施錠操作に一体に応動する内筒２１ａおよび外筒２１ｂを有している。前記内筒２１ａの内部には、外筒２１ｂとの間に複数のディスクタンブラーより成るシリンダー錠の機構が組み込まれている。ディスクタンブラーは、外筒２１ｂに対する内筒２１ａの回動を規制するためのもので、撮み２０に設けられた鍵孔２９より内筒２１ａ内へ図示しないマスター鍵が挿入されていない状態では、ディスクタンブラーが内筒２１ａと外筒２１ｂとの間に介在して内筒２１ａと外筒２１ｂとを係合した状態となる。マスター鍵が挿入された状態では、全てのディスクタンブラーが内筒２１ａ内に退避することで内筒２１ａと外筒２１ｂとの係合が外れ、外筒２１ｂ内で内筒２１ａが回動可能な状態となる。なお、上記した構成のシリンダ錠は公知であり、ここでは錠機構についての詳細な説明は省略する。
【００２１】
前記内筒２１ａには取付軸２２を介して掛止片１が取り付けられている。外筒２１ｂは掛止機構の係脱動作に必要な角度範囲α（この実施例ではα＝９０度）だけ正逆回動するように支持されており、撮み２０を回す操作によって内筒２１ａを外筒２１ｂと一体に回動させると、掛止片１は９０度の角度範囲αで正逆回動する。
内筒２１ａは、外筒２１ｂとの係合が外れた状態では９０度の角度範囲αを超えて正逆回動が可能となっている。鍵孔２９より内筒２１ａ内へマスター鍵を挿入した状態で内筒２１ａを回動させると、掛止片１は開状態の位置から前記９０度の角度範囲αを超えて、さらに所定の角度範囲β（この実施例ではβ＝２５度）だけ正逆回動する（図１参照）。
外筒２１ｂの外周面には往復動機構７を構成する凹凸カム面と、ロック機構９を構成するロック係合部２５，２６とが形成されているが、これらの構成については後述する。
【００２２】
（２）作動軸３の構成
作動軸３は、アクチュエータ２と直交する方向に水平に配置されており、その先端部には前部ブッシュ３０が嵌められている。前部ブッシュ３０は前記支持板１５に設けられた軸受部（図示せず。）により、また、作動軸３の基端部は軸受１６により、それぞれ摺動自由に支持されており、これにより作動軸３がアクチュエータ２と直交する水平方向に往復動可能となっている。
作動軸３の軸周面には、一定間隔毎に５枚のリング状の仕切板３１〜３５がそれぞれ一体に装着され、隣り合う仕切板間には合成樹脂製の中間ブッシュ５４が嵌められている。また、作動軸３上の各ダイヤル４の位置には後述する解錠符号の探索部材１０１が配置されている。各探索部材１０１は各仕切板３１〜３４と中間ブッシュ５４との間に挟持されて軸方向への移動が阻止されている。また、作動軸３の軸周面には軸方向に沿って断面矩形の溝３７が形成され、この溝３７に各探索部材１０１が回動不能に係止されている。
作動軸３の基端部寄りの仕切板３５と前記軸受１６との間には後述する往復動機構７を構成する圧縮バネ３６が設けられ、その圧縮バネ３６のバネ圧を作動軸１３に作用させて作動軸３をアクチュエータ２の方向へ常時付勢している。
【００２３】
前記前部ブッシュ３０は、外筒２１ｂの外周面に形成された凹凸カム面（詳細は後述する。）に当接して摺動するもので、前記凹凸カム面と協働して作動軸３を設定量だけ往復させるための往復動機構７を構成している。
また、前部ブッシュ３０は内筒２１ａの外周面に形成された突起体１０３により押圧されるもので、前記突起体１０３と協働して作動軸３を前記設定量を超えて変位させる変位機構１０２（詳細は後述する。）を構成している。
【００２４】
さらに、前部ブッシュ３０は、切換機構８を構成する筒軸状の押圧部材８７による押圧を受ける当たり面３９を有している（図４参照）。前記押圧部材８７は切換操作による回動力を受けて当たり面３９を押圧することにより前部ブッシュ３０をアクチュエータ２と反対方向へ強制的に変位させかつその変位を保持するためのもので、これにより第１の記憶方式から第２の記憶方式への切換が実現される。
【００２５】
この切換機構８は、解錠操作毎に解錠符号列の記憶が解除される第１の記憶方式と、解錠操作があっても解錠符号列の記憶が保持される第２の記憶方式とを切り換えるためのものであり、人手により回動操作される操作軸８０と、操作軸８０に連繋され前部ブッシュ３０を介して作動軸３を往復変位させる駆動筒８２とを含んでいる。駆動筒８２の上面には筒軸状の前記押圧部材８７が突設され、操作軸８０と一体に駆動筒８２を回動させたとき、押圧部材８７が偏心回動して前部ブッシュ３０の当たり面３９を押圧する。
図４は、押圧部材８７がアクチュエータ２の側に偏って位置し、第１の記憶方式に設定されている。同図中、点線で示すように、押圧部材８７がアクチュエータ２と反対側へ偏って位置するとき、第２の記憶方式に設定される。第２の記憶方式に設定された状態のとき、前部ブッシュ３０が押されて作動軸３と一体に後述する全てのロックギヤ５が押されるため、各ロックギヤ５が対応するダイヤルと噛み合い、解錠符号列が固定的に記憶される。
【００２６】
（３）往復動機構７の構成
往復動機構７は、後述するダイヤル毎のロックギヤ５を一斉に往復動させるために、前記アクチュエータ２の作動に応動して作動軸３を所定のタイミングで設定量だけ往復動させる機構であり、外筒２１ｂの外周面に形成された凹面２３を含む凹凸カム面と、作動軸３の先端部に装着された前記の前部ブッシュ３０と、作動軸３をアクチュエータ２の方向へバネ復元力により付勢する前記圧縮バネ３６とがこの往復動作に関わっている。
前記凹凸カム面は、前記凹面２３に対して外筒２１ｂの外周面を凸面２４となすものであり、前部ブッシュ３０が凹面２３に嵌まり込んだ状態から凸面２４に乗り上がるとき、作動軸３がアクチュエータ２と反対側の方向へ押されて往動する。また、前部ブッシュ３０が凸面２４に乗り上がった状態から凹面２３に嵌まり込むとき、圧縮バネ３６のバネ圧を受けて作動軸３はアクチュエータ２の方向へ押されて復動する。
【００２７】
図３および図４は「開状態」を示すもので、外筒２１ｂの凹凸カム面の凹面２３が前部ブッシュ３０に対向位置している。作動軸３は圧縮バネ３６のバネ圧を受けて押されるため、前部ブッシュ３０は外筒２１ｂの凹面２３へ嵌入する。この嵌入状態のとき、作動軸３はアクチュエータ２の側へ変位している。以下、この位置を「初期位置」という。
【００２８】
図５および図６は「開状態」から「閉状態」へ移行を開始した直後の状態、具体的には、外筒２１ｂが３６度だけ回動したときの状態を示しており、前部ブッシュ３０は外筒２１ｂの凹面２３から凸面２４に乗り上がっている。この乗り上がった状態のとき、作動軸３はアクチュエータ２に対して反対方向へ設定量だけ変位している。以下、この位置を「第１変位位置」といい、図７〜図１０に示す「閉状態」のときも作動軸３は第１変位位置にある。
なお、詳細は後述するが、解錠符号の探索時には解錠符号探索機構１００の変位機構１０２によって作動軸３は設定量を超えてさらに変位するもので（図１３，１４）、このときの位置を「第２変位位置」という。
【００２９】
（４）ダイヤル４およびダイヤル間欠送り機構１９の構成
４個の各ダイヤル４は、作動軸３上にそれぞれ中間ブッシュ５４およびロックギヤ５を介して回動可能に支持されている。各ダイヤル４は、図１５〜図１７に示すように、外周面の等角度位置毎に「０」〜「９」の符号４３が表されたダイヤル操作板４０を有し、そのダイヤル操作板４０の一側面にボス部４４が一体に設けられたものである。
【００３０】
ボス部４４の外周面には符号数に相当する数（１０個）の谷部４５が連続して形成されている。各谷部４５は中央部が低く所定の角度をなす左右の傾斜面によって構成されている。ボス部４４の外周面にバネ片１７の先端部１７Ａ，１７Ｂが弾性復元力によりそれぞれ押し付けられている。前記バネ片１７は、弾性を有し、全体がＵ字形状をなす。バネ片１７の先端部１７Ａ，１７Ｂは谷部４５の傾斜面間の角度よりやや小さな角度で尖っている。ダイヤル操作すると、バネ片１７の各先端部１７Ａ，１７Ｂが谷部４５に順次嵌り込むことでダイヤル４が等角度づつ間欠送りされ、「０」から「９」の各符号４３が前面プレート１１に開設された窓孔１４の整列ラインＬ上に次々に現れて停止する。ダイヤル４のボス部４４に形成された谷部４５と前記バネ片１７とでダイヤル間欠送り機構１９が構成されている。
【００３１】
この実施例では、各谷部４５の谷底にごみを回収して溜めるためのごみ溜まり４５ａが凹設してある。各谷部４５の谷底にごみが溜まって谷底が曲面状となると、ダイヤル４が定位せずにがたつくため、ごみ溜まり４５ａにごみを回収して谷底が曲面状となるのを防止している。また、バネ片１７の各先端部１７Ａ，１７Ｂは尖らせてあり、これによりバネ片１７の先端部１７Ａ，１７Ｂが谷部４５，４５間の山部に乗り上がった状態になるのを防止している。バネ片１７は基端部が箱状ケース１２の内部の適所に固定される。
【００３２】
（５）解錠符号記憶機構６の構成
解錠符号記憶機構６は、解錠符号列を構成するダイヤル４毎の解錠符号を自在に設定しかつ記憶させるための機構であり、４個のダイヤル４と、各ダイヤル４の位置に対応させて設けられたダイヤル毎のロックギヤ５とで構成されている。
各ロックギヤ５は、作動軸３上の各仕切板３１〜３５の内側に位置し、前記中間ブッシュ５４を介してそれぞれが回動自由に支持されている。隣り合うロックギヤ５，５は互いに当接し、先頭のロックギヤ５は前部ブッシュ３０に当接しており、前部ブッシュ３０および作動軸３と一体に全てのロックギヤ５が一斉に往復動するようになっている。
【００３３】
この実施例では、図１５および図１７に示すように、各ダイヤル４の内周面に形成された溝列４１と、図１８〜図２１に示すように、各ロックギヤ５の一端部の外周面に形成された突子列５０とで解錠符号記憶機構６が構成されている。各ダイヤル４の各溝列４１は、符号数に一致する数（１０個）の嵌合溝４６を等角度間隔で一周配置して成る。一方、各ロックギヤ５の突子列５０は、いずれの嵌合溝４６とも嵌合可能な嵌合突子５１を等角度間隔で符号数に一致する数（１０個）だけ一周配置して成る。
【００３４】
ロックギヤ５の突子列５０がダイヤル４の溝列４１に噛み合っていないとき、ダイヤル４はロックギヤ５との係わりが切れて単独で回動可能な状態、すなわち、解錠符号が記憶されていない状態、換言すれば、解錠符号を自由に設定することが可能な状態にある。一方、ロックギヤ５の突子列５１がダイヤル４の溝列４１に噛み合っているとき、ダイヤル４とロックギヤ５とは一体回動する状態、すなわち、解錠符号が記憶されている状態にある。
【００３５】
作動軸３が前記した「第１変位位置」にあるとき、各ダイヤル４と各ロックギヤ５とは係わり合った状態にあり、また、作動軸３が前記した「初期位置」にあるとき、各ダイヤル４と各ロックギヤ５とは係わりが切れた状態にある。突子列５１と溝列４１との噛み合い角度位置、すなわちロックギヤ５に対するダイヤル４の嵌合角度位置は符号数に一致する数だけ存在するので、両者の嵌合角度位置に応じて解錠符号を１０とおり設定することが可能である。
【００３６】
各ロックギヤ５の一方の側面には、図２１に示されるように、仕切板３１〜３５が嵌合するリング状の溝５３が形成されている。作動軸３がアクチュエータ２の方向へ移動するとき、各仕切板３１〜３５は各ロックギヤ５を伴って一体に移動させる。
各ロックギヤ５の外周面の一側には、図１９および図２０に示されるように、ロック機構９を構成する凹部５２が形成されている。なお、ロック機構９については次項において詳述する。
【００３７】
（６）ロック機構９の構成
ロック機構９は、各窓孔１４に現れる各ダイヤル４の符号４３がすべて解錠符号であるとき（解錠符号列が生成されたとき）、アクチュエータ２の作動を許容し、いずれかダイヤル４の符号４３が解錠符号でないとき（解錠符号列が生成されていないとき）、アクチュエータ２の作動を規制するものである。
この実施例のロック機構９は、各ロックギヤ５の外周面に形成された前記の凹部５２と、図２２に示す形態の可動ロック部材９０と、アクチュエータ２の外筒２１ｂの外周面に形成されたロック係合部２５，２６とで構成されている。
【００３８】
前記可動ロック部材９０は、全てのダイヤル４について窓孔１４に解錠符号が出現する回動角度になっているかどうかを検出するための４個の検出アーム９１と、これらの検出アーム９１により全てのダイヤル４が窓孔１４に解錠符号が出現する回動角度になっていることが検出されなかったとき、すなわち、解錠符号列が揃っていないとき、施錠および解錠の各操作に伴うアクチュエータ２の回動を規制する規制片９２とを含んでいる。
【００３９】
各検出アーム９１は、作動軸３と平行な回動軸９３に各ロックギヤ５に対応させて一体に設けられている。各ロックギヤ５の凹部５２は、ロックギヤ５がダイヤル４から離れて係わりが切れている状態においては、決められた同じ回動角度位置にそれぞれ定位する。図示していないが、ロックギヤ５がダイヤル４から離れた状態のとき、その位置でロックギヤ５が回動しないように拘束するための手段が組み込まれている。
したがって、各ロックギヤ５の凹部５２は、解錠符号が窓孔１４に出現している状態のとき、決められた同じ回動角度位置に位置するので、全てのダイヤル４が窓孔１４に解錠符号が出現する回動角度位置にあるとき、図２３に示すように、全ての検出アーム９１の先端部９１ａが対応するロックギヤ５の凹部５２にそれぞれ嵌り込み、回動軸９３が矢印ｐ方向へ回動変位した状態、すなわち、解錠符号列の出現が検出された状態となる。
【００４０】
一方、いずれかのダイヤル４が窓孔１４に解錠符号が出現しない回動角度になっているとき、図２４に示すように、そのダイヤル４と噛み合っているロックギヤ５の凹部５２に検出アーム９１の先端部９１ａが嵌り込まず、ロックギヤ５の外周面に乗り上がる。その結果、他のダイヤル４についてもロックギヤ５の凹部５２に検出アーム９１の先端部９１ａが嵌り込まず、ロックギヤ５の外周面に乗り上がるので、回動軸９３が矢印ｑ方向へ回動変位した状態、すなわち、解錠符号列の出現が検出されていない状態となる。
【００４１】
回動軸９３は両端部が回動自由に支持され、回動軸９３の一端部がアクチュエータ２の組み込まれた空間Ａに突出している。この回動軸９３の突出端に前記規制片９２が一体に設けられている。この規制片９２の先端部の係合山部９４Ａ，９４Ｂおよび係合谷部９４Ｃがアクチュエータ２の外筒２１ｂの外周面に形成された２箇所のロック係合部２５，２６のいずれかに係合したとき、アクチュエータ２の回動が規制される。回動軸９３が正逆各方向へ回動するとき、規制片９２の係合山部９４Ａ，９４Ｂおよび係合谷部９４Ｃはいずれかのロック係合溝２５，２６と係合したり、その係合が外れたりする。
【００４２】
規制片９２の先端部には上記した係合山部９４Ａ，９４Ｂおよび係合谷部９４Ｃがそれぞれ形成され、一方、外筒２１ｂの各ロック係合部２５，２６には、前記規制片９２の係合山部９４Ａ，９４Ｂおよび係合谷部９４Ｃに対応して、係合谷部２５Ａ，２５Ｂ、２６Ａ，２６Ｂおよび係合山部２５Ｃ，２６Ｃがそれぞれ形成してある。規制片９２の係合山部９４Ａ，９４Ｂおよび係合谷部９４Ｃがいずれかのロック係合部２５，２６の係合谷部２５Ａ，２５Ｂ、２６Ａ，２６Ｂおよび係合山部２５Ｃ，２６Ｃと係合すると、アクチュエータ２の回動が規制される。
【００４３】
符号錠装置が「開状態」または「閉状態」にあるとき、解錠符号が４個並んだ状態（解錠符号列が揃った状態）にあれば、全てのロックギヤ５の凹部５２が決められた同じ角度位置に位置するので、全ての検出アーム９１の先端部９１ａが対応するロックギヤ５の凹部５２に嵌り込む。その結果、回動軸９３が一方へ回動変位した状態となり、規制片９２の先端部はいずれのロック係合部２５，２６とも係合しない（図２３参照）。これによりアクチュエータ２の作動規制が解除され、施錠操作や解錠操作が可能となる。
これに対して、解錠符号が４個並んでいない状態（解錠符号列が揃っていない状態）にあれば、全てのロックギヤ５の凹部５２が決められた同じ角度位置に位置していないので、どの検出アーム９１の先端部９１ａもロックギヤ５の凹部５２に嵌り込まず、ロックギヤ５の外周面に乗り上がる。その結果、回動軸９３が前記と逆方向へ回動変位した状態にあり、規制片９２の先端部がロック係合部２５，２６と係合する（図２４参照）。これによりアクチュエータ２の作動が規制され、施錠操作や解錠操作が困難となる。
【００４４】
（７）解錠符号探索機構１００の構成
解錠符号探索機構１００は、ロッカー使用者が解錠符号列を忘れたとき、ロッカー提供者においてダイヤル毎に解錠符号を探索するための機構であり、マスター鍵によってアクチュエータ２の内筒２１ａと外筒２１ｂとの係わりを切った状態に設定した後、内筒２１ａを外筒２１ｂの回動角度範囲α（この実施例ではαは９０度）を超えてさらに所定の角度β（この実施例ではβは２５度）だけ回動させることにより作動軸３を前記した「第２変位位置」まで変位させる変位機構１０２を含んでいる。
【００４５】
この実施例の変位機構１０２は、図１１〜図１４に示されるように、内筒２１ａの外周面に突設された突起体２７により構成されている。この突起体２７は外筒２１ｂの周方向に沿って形成された貫通溝２８を貫通し、曲面をなす先端部が外筒２１ｂの外周へ突出する。この突起体２７の突出長さは、突起体２７の先端部が外筒２１ｂの外周面より突き出るように設定される。すなわち、前部ブッシュ３０が突起体２７により押されて変位するときの変位量が、前部ブッシュ３０が外筒２１ｂの凹凸カム面の凸面２４より押されて変位するときの変位量より大きくなるように、突起体２７の突出長さが設定される。
【００４６】
この実施例の解錠符号探索機構１００は、ダイヤル４が窓孔１４に解錠符号が出現する回動角度になっているとき、そのダイヤル４と噛み合ったロックギヤ５は決められた回動角度になっていることを利用して解錠符号を探索するようにしたもので、解錠符号の探索を可能とするために、作動軸３上の各ダイヤル４の位置に解錠符号の探索部材１０１をそれぞれ配置するとともに、各ロックギヤ５の探索部材１０１と対向する側面に図２５〜図２７に示すような係合段部５７を形成している。
図示例の係合段部５７は、ロックギヤ５の側面の外周部にほぼ半周にわたってリング状の凸部５６Ａを形成することにより凸部５６Ａの一端と凹部５６Ｂとの間に形成されている。
なお、図２６および図２７は、ダイヤル４が窓孔１４に解錠符号が出現する回動角度になっているときの探索部材１０１とロックギヤ４との位置関係を示している。
【００４７】
前記探索部材１０１は、作動軸３上に板面をロックギヤ５の側面に対向させて固定される円板状の部材であり、円板の外周縁に沿って切溝１０６を所定の角度にわたり形成して円弧状に切り起こすことにより、板面に対して直交する方向に弾性変形が可能な突部１０５が形成されている。なお、図２５において、１０３は作動軸３を通す孔であり、探索部材１０１が作動軸３上で回動しないように、孔周縁には作動軸３に形成された溝３７と係合する突片１０４が形成されている。
【００４８】
作動軸３が「第２変位位置」まで変位したとき、解錠符号が揃えられていない回動角度のダイヤル４に対応するロックギヤ５に対しては、図２８および図２９に示すように、探索部材１０１の突部１０５がロックギヤ５の回動を許容する状態でロックギヤ５の側面に当接する。
また、解錠符号が揃えられている回動角度のダイヤル４に対応するロックギヤ５に対しては、前記突部１０５の係合端部１０５ａが係合段部５７に係合してロックギヤ５の一定方向（図２５中、矢印で示す方向）の回動を規制する。
【００４９】
つぎに上記した構成の符号錠装置について施錠操作時および解錠操作時の一連の動作を詳細に説明する。
まず、施錠操作時の動作について説明すると、符号錠装置が図３、４に示された「開状態」にあるとき、作動軸３は、先端部の前部ブッシュ３０が外筒２１ｂの凹面２３に嵌まってアクチュエータ２の側へ変位した状態（第１変位位置）にある。この第１変位位置では、各ダイヤル４は各ロックギヤ４と係わりが切れた回動自由な状態にあり、解錠符号を自在に設定することが可能である。
この状態においては、全てのロックギヤ５の凹部５２が決められた同じ角度位置にあり、可動ロック部材９０の全ての検出アーム９１の先端部９１ａが前記凹部５２と係合するので、回動軸９３が所定の方向に回動した状態にあり、規制片９２とロック係合部２５との係合が外れ（図３参照）、符号錠装置は施錠操作が可能な状態に設定される。
【００５０】
各ダイヤル４を回動操作して任意の解錠符号列を設定した後、撮み２０を回動操作すると、アクチュエータ２の内筒２１ａと外筒２１ｂとが一体に回動し、前部ブッシュ３０が外筒２１ｂの外周面の凸面２４に乗り上がり、作動軸３がアクチュエータ２に対して反対方向へ移動する。その結果、全てのロックギヤ５が対応するダイヤル４とそれぞれ噛み合い、解錠符号列が記憶される（図７および図８参照）。この段階で各ロックギヤ５と各ダイヤル４とは一体回動が可能な状態になっている。
【００５１】
その後、各ダイヤル４を回動操作して解錠符号列を適当に崩すと、可動ロック部材９０の全ての検出アーム９１の先端部９１ａと前記凹部５２との係合が外れ、回動軸９３が所定の方向に回動した状態になるので、規制片９２がロック係合部２６に係合し（図９参照）、解錠操作に伴うアクチュエータ２の回動が規制されて施錠状態になる。
【００５２】
つぎに、解錠操作時の動作について説明する。まず、各ダイヤル４を回動操作して解錠符号列を揃えると、全てのロックギヤ５の凹部５２が決められた同じ角度位置にくるので、可動ロック部材９０の全ての検出アーム９１の先端部９１ａが凹部５２に係合し、回動軸９３の回動に伴って規制片９３とロック係合部２６との係合が外れる（図７参照）。その結果、解錠操作に伴うアクチュエータ２の回動が許容され、符号錠装置は解錠操作が可能な状態に設定される。
【００５３】
つぎに、撮み２０を前記と逆方向へ回動操作すると、アクチュエータ２の内筒２１ａと外筒２１ｂとが一体に回動し、前部ブッシュ３０が外筒２１ｂの凹面２３に嵌って作動軸３が圧縮ばね３６のバネ力によりアクチュエータ２の側へ移動する。その結果、各ロックギヤ５と対応するダイヤル４との噛み合いが外れ、解錠符号列の記憶が解除される（図３，４参照）。このとき、各ダイヤル４は単独で回動が可能な状態、すなわち、解錠符号の設定が可能な状態になっている。
【００５４】
上記した符号錠装置において、ロッカー使用者が解錠符号列を忘れてしまったとき、その解錠符号列を探索するのに、アクチュエータ２の錠機構をマスター鍵により解錠して内筒２１ａと外筒２１ｂとの係合を外す。これにより外筒２１ｂ内で内筒２１ａが回動することが可能な状態となる（図１１，１２）。
つぎに、マスター鍵を回して内筒２１ａを外筒２１ｂの回動角度範囲αを超えて回動させると、内筒２１ａの外周面に突設された突起体２７は外筒２ｂに形成された貫通溝２８より突出しているので、突起体２７が作動軸３の位置まできたとき、突起体２７の先端が作動軸３の先端部の前部ブッシュ３０を押圧する。これにより、作動軸３は設定量を超えて第２変位位置まで変位し、各ダイヤル４について探索部材１０１の突部１０５がロックギヤ５の側面に当接する（図１３，１４）。
【００５５】
このとき、解錠符号が揃えられていない回動角度のダイヤル４については、探索部材１０１の突部１０５は、弾性変形することで、対応するロックギヤ５の側面にロックギヤ５の回動を許容する状態で当接する（図２８，２９）。
もし、解錠符号が揃えられている回動角度のダイヤル４が存在すれば、そのダイヤル４については、対応するロックギヤ５の係合段部５７に探索部材１０１の突部１０５の係合端部１０５ａが係合するので、ロックギヤ５の所定の方向への回動が規制される。このことによって、ダイヤル４の解錠符号が揃った状態になっていることが分かり、そのダイヤル４の回動角度、すなわち、整列ラインＬに止まったダイヤル４の符号を確認することで解錠符号が判明する。
【００５６】
解錠符号が揃えられていない回動角度のダイヤル５については、ダイヤル４を所定の方向へ回し、ロックギヤ５の係合段部５７に突部１０５の係合端部１０５ａが係合するまでロックギヤ５を一体に回動させる。ロックギヤ５の係合段部５７が突部１０５の係合端部１０５ａの角度位置までくると、突部１０５の係合端部１０５ａが係合段部５７と係合しロックギヤ５の回動を規制する。このとき、ダイヤル４の解錠符号が揃った状態になっているので、そのダイヤル４の回動角度、すなわち、整列ラインＬに止まったダイヤル４の符号を確認することで解錠符号が判明する。
【図面の簡単な説明】
【００５７】
【図１】この発明の実施例である符号錠装置の外観を示す平面図である。
【図２】図１の実施例の底面図である。
【図３】閉状態時の符号錠装置の内部構造を示す平面より見た断面図である。
【図４】符号錠装置の図３のａ方向より見た縦断面図である。
【図５】施錠操作時の符号錠装置の内部構造を示す平面より見た断面図である。
【図６】符号錠装置の図５のａ方向より見た縦断面図である。
【図７】閉状態時の符号錠装置の内部構造を示す平面より見た断面図である。
【図８】符号錠装置の図７のａ方向より見た縦断面図である。
【図９】施錠状態時の符号錠装置の内部構造を示す平面より見た断面図である。
【図１０】符号錠装置の図９のａ方向より見た縦断面図である。
【図１１】解錠符号の探索のためにマスター鍵を挿入したときの符号錠装置の内部構造を示す平面より見た断面図である。
【図１２】符号錠装置の図１１のａ方向より見た縦断面図である。
【図１３】解錠符号の探索のために撮みを回したときの符号錠装置の内部構造を示す平面より見た断面図である。
【図１４】符号錠装置の図１３のａ方向より見た縦断面図である。
【図１５】ダイヤルの一方の側面図である。
【図１６】ダイヤルの他方の側面図である。
【図１７】ダイヤルの正面図である。
【図１８】ロックギヤの一方の側面図である。
【図１９】ロックギヤの他方の側面図である。
【図２０】ロックギヤの正面図である。
【図２１】図１８のＡ−Ａ線に沿うロックギヤの断面図である。
【図２２】可動ロック部材の構成を示す正面図である。
【図２３】ロック機構の動作を示す説明図である。
【図２４】ロック機構の動作を示す説明図である。
【図２５】解錠符号探索機構の構成を示す分解斜視図である。
【図２６】解錠符号探索機構の構成および動作を示す側面図である。
【図２７】図２６のＢ−Ｂ線に沿う断面図である。
【図２８】解錠符号探索機構の構成および動作を示す側面図である。
【図２９】図２８のＣ−Ｃ線に沿う断面図である。
【符号の説明】
【００５８】
１    掛止片
２    アクチュエータ
３    作動軸
４    ダイヤル
５    ロックギヤ
６    記憶機構
７    往復動機構
９    ロック機構
２１ａ  内筒
２１ｂ  外筒
２７  突起体
２８  貫通溝
５７  係合段部
１００  解錠符号探索機構
１０１  探索部材
１０２  変位機構
１０５  突部
【図１】
2008190215.tif 000003
【図２】
2008190215.tif 000004
【図３】
2008190215.tif 000005
【図４】
2008190215.tif 000006
【図５】
2008190215.tif 000007
【図６】
2008190215.tif 000008
【図７】
2008190215.tif 000009
【図８】
2008190215.tif 000010
【図９】
2008190215.tif 000011
【図１０】
2008190215.tif 000012
【図１１】
2008190215.tif 000013
【図１２】
2008190215.tif 000014
【図１３】
2008190215.tif 000015
【図１４】
2008190215.tif 000016
【図１５】
2008190215.tif 000017
【図１６】
2008190215.tif 000018
【図１７】
2008190215.tif 000019
【図１８】
2008190215.tif 000020
【図１９】
2008190215.tif 000021
【図２０】
2008190215.tif 000022
【図２１】
2008190215.tif 000023
【図２２】
2008190215.tif 000024
【図２３】
2008190215.tif 000025
【図２４】
2008190215.tif 000026
【図２５】
2008190215.tif 000027
【図２６】
2008190215.tif 000028
【図２７】
2008190215.tif 000029
【図２８】
2008190215.tif 000030
【図２９】
2008190215.tif 000031